(57)【要約】【課題】  小型化が可能で、低コスト化が図れ、過大な押圧力が加わった時には、軸が本体内に入り込んで動作不能状態を維持することができる回転操作型電気部品を提供する。【解決手段】  筐体１の一端側に係合された軸受け８の軸孔８ｅから外方に突出すると共に、筐体１内に回転可能に保持された操作軸１０に、軸孔８ｅの開口部に対向して軸線方向と直交する方向に延出する突片部１０ｃを一体に形成し、突片部１０ｃが操作軸１０の軸線方向に通常の第１の押圧力が加わった時のストッパーとして機能し、操作軸１０の軸線方向に過大な第２の押圧力が加わった際には、突片部１０ｃが軸孔８ｅの開口部と衝突して破壊され、この破壊部１０ｄが軸孔８ｅに食い込むことにより操作軸１０の回転を阻止するようにした。【選択図】        図５
2005136275.tif 000002
【特許請求の範囲】
【請求項１】
収納部を有する筐体と、軸孔を有し前記筐体の一端側に係合された軸受けと、前記軸孔から外方に突出すると共に、前記筐体内に回転可能に保持された操作軸と、可動接点を有し前記操作軸の回転操作に伴って回動される回転板と、前記収納部に配設され前記可動接点と摺接する固定接点とを備え、前記操作軸には、前記軸孔の開口部に対向して軸線方向と直交する方向に延出する突片部を一体に形成し、この突片部が前記操作軸の軸線方向に第１の押圧力が加わった時のストッパーとして機能し、前記操作軸の軸線方向に前記第１の押圧力よりも大きい過大な第２の押圧力が加わった際には、前記突片部が前記軸孔の開口部と衝突して破壊され、この破壊部が前記軸孔に食い込むことにより前記操作軸の回転を阻止するようにしたことを特徴とする回転操作型電気部品。
【請求項２】
前記操作軸を、前記筐体内に軸線方向へスライド移動可能に保持すると共に、前記筐体の収納部に前記操作軸のスライド移動に伴って動作する検出スイッチと復帰ばねとを備え、前記操作軸の押圧操作に伴って前記検出スイッチが動作し、前記操作軸に前記第１の押圧力が加わった時には、前記突片部が前記軸孔の開口部に当接してストッパーとして機能することで、前記復帰ばねの付勢力により前記操作軸の復帰を可能とし、前記操作軸に過大な前記第２の押圧力が加わった際には、前記突片部が前記軸孔の開口部と衝突して破壊され、この破壊部が前記軸孔に食い込むことにより前記操作軸の復帰を阻止するようにしたことを特徴とする請求項１記載の回転操作型電気部品。
【請求項３】
前記操作軸は、前記軸孔に挿通される軸径よりも、前記突片部の外方に位置する軸径の方が小径となるように前記突片部を挟んで異なる軸径で形成したことを特徴とする請求項１、又は２記載の回転操作型電気部品。
【請求項４】
前記操作軸、及び前記軸受けが、何れも金属材からなることを特徴とする請求項１乃至３の何れかに記載の回転操作型電気部品。
【請求項５】
前記突片部を、円板形をした鍔状に形成したことを特徴とする請求項１乃至４の何れかに記載の回転操作型電気部品。
【発明の詳細な説明】
【技術分野】
【０００１】
本発明は、回転操作型電気部品に係り、特に、音響機器等の電子機器の各種コントロールに使用される回転操作型電気部品の構造に関する。
【背景技術】
【０００２】
従来の回転操作型電気部品の構造としては、操作軸の操作により電気信号を出力する本体部と、操作軸の先端に挿通された受け部材及びつまみ部と、受け部材とつまみ部との間でつまみ部を前方に押し出すように付勢する弾性部材とより構成され、ツマミ部が、過大な押圧力で押圧されると、弾性部材が圧縮されて、つまみ部が受け部材に入り込むことにより、つまみ部の突出量を少なくする構造のものが知られている（例えば、特許文献１参照）。
【０００３】
以下、従来の回転操作型電気部品の構造を図に基づいて説明する。
図７は従来の回転操作型電気部品を示す一部を断面とした側面図、図８は従来の回転操作型電気部品の動作を説明する説明図である。
【０００４】
図に示すように、電気部品１１０は、所定の電気信号（例えば、抵抗値信号や、オン・オフ信号など）を出力する本体部１０１と、本体部１０１を操作するための操作軸１０２と、操作軸１０２に挿通されたつまみ部１０５と、本体部１０１とつまみ部１０５との間でつまみ部１０５を前方に押し出すように付勢する弾性部材１０６とで概略構成されている。
【０００５】
本体部１０１は、絶縁材から成り、略箱形の筐体部１０１ａと、筐体部１０１ａから外方に突出し、金属材から成る略円筒状の軸受け部１０１ｂと、筐体部１０１ａから外方に突出する複数の端子１０１ｃとを有している。また、筐体部１０１ａの一端側には、図示しない抵抗体やコモン電極や基板などから成る、公知の回転型可変抵抗器１０１ｄが配置され、他端側には、図示しない固定接点や可動接点などから成る、公知のプッシュスイッチ１０１ｅが配置されている。
【０００６】
操作軸１０２は、軸受け部１０１ｂに挿通され、外方へ突出する略円柱状の軸部１０３と、該軸部１０３と一体化された受け部材１０４とを有する。この操作軸１０２の軸部１０３は、軸受け部１０１ｂに挿通された状態で、前記可変抵抗器１０１ｄと前記プッシュスイッチ１０１ｅとを操作することが出来るように筐体部１０１ａ内に配置されている。
【０００７】
この状態のとき、可変抵抗器１０１ｄは、操作軸１０２の回動によって電気信号としての抵抗値信号を出力し、また、プッシュスイッチ１０１ｅは、操作軸１０２の軸線方向への押圧によって電気信号としてのオン・オフ信号を出力するように構成されている。
【０００８】
受け部材１０４は、絶縁材から成り、略角柱状の基部１０４ａと、基部１０４ａの一方の端部から前記軸部１０３の軸線方向に設けられた穴部１０４ｂと、基部１０４ａの一方の端部側で、前記軸部１０３の軸線に直交する平面を備えた略円板状の保持部１０４ｃと、該保持部１０４ｃに複数個の矩形の孔１０４ｄとを備えている。
【０００９】
つまみ部１０５は、絶縁材から成り、円弧状の表面壁１０５ｃと表面壁１０５ｃの周囲から表面壁１０５ｃに対して略直交して延設された側壁１０５ｄと表面壁１０５ｃと対向する位置に設けられた略円環状の裏面壁１０５ｅとを有し、裏面壁１０５ｅの中央部には、略矩形の凹部１０５ｆが形成された略円筒状の操作部１０５ａと、操作部１０５ａの裏面壁１０５ｅから外方に突出する一対の係止部１０５ｂとを有する。この一対の係止部１０５ｂの自由端には、スナップインによる係止をさせるための凸部１０５ｇが形成されている。
【００１０】
そして、前記つまみ部１０５と弾性部材１０６と受け部材１０４とは、先ず、受け部材１０４の基部１０４ａに弾性部材１０６が挿通され、更に、基部１０４ａがつまみ部１０５の凹部１０５ｆ内に収納される。また、この時、一対の係止部１０５ｂの凸部１０５ｇは、保持部１０４ｃの孔１０４ｄにスナップイン結合される。
【００１１】
そして、この状態では、前記弾性部材１０６は、受け部材１０４の保持部１０４ｃとつまみ部１０５の裏面壁１０５ｅとの間で、弾圧された状態で配置されている。そして、この弾性部材１０６は、つまみ部１０５を軸線の前方に押し出すように所定の付勢力（ｆ２）にて付勢している。そして、この所定の付勢力：ｆ２は、前述のプッシュスイッチ１０１ｅをプッシュ操作するための所定の押圧力：ｆ１に比較して、強い力（ｆ１＜ｆ２）であるように構成されている。
よって、つまみ部１０５は、弾性部材１０６の弾性に抗しながら受け部材１０４の軸線方向（矢印Ｂ、及びＣ方向）に移動できるように構成されている。
【００１２】
また、つまみ部１０５が、前記所定の付勢力ｆ２よりも強い押圧力ｆ４で押圧された場合には、つまみ部１０５の移動により操作軸１０２が矢印Ｂ方向へ移動してプッシュスイッチがオンした後、更に、つまみ部１０５が弾性部材１０６の付勢力ｆ２に抗して矢印Ｂ方向へ移動することになる。これによって、電気部品１１０の破損の防止が図れるものとなっている。
【００１３】
【特許文献１】特開２００１−３５２９９号公報
【発明の開示】
【発明が解決しようとする課題】
【００１４】
しかしながら、上述した従来の回転操作型電気部品においては、操作体の構造が複雑で、つまみ部１０５に受け部材１０４の基部１０４ａが収納されるスペース凹部１０５ｆが必要なため、大型となり、コストが高くなるという問題があった。
【００１５】
したがって、本発明では上述した問題点を解決し、小型化が可能で、低コスト化が図れ、過大な押圧力が加わった時には、軸が本体内に入り込んで動作不能状態を維持することができる回転操作型電気部品を提供することを目的とする。
【課題を解決するための手段】
【００１６】
上記課題を解決するために本発明では第１の解決手段として、収納部を有する筐体と、軸孔を有し前記筐体の一端側に係合された軸受けと、前記軸孔から外方に突出すると共に、前記筐体内に回転可能に保持された操作軸と、可動接点を有し前記操作軸の回転操作に伴って回動される回転板と、前記収納部に配設され前記可動接点と摺接する固定接点とを備え、前記操作軸には、前記軸孔の開口部に対向して軸線方向と直交する方向に延出する突片部を一体に形成し、この突片部が前記操作軸の軸線方向に通常の第１の押圧力が加わった時のストッパーとして機能し、前記操作軸の軸線方向に前記第１の押圧力よりも大きい過大な第２の押圧力が加わった際には、前記突片部が前記軸孔の開口部と衝突して破壊され、この破壊部が前記軸孔に食い込むことにより前記操作軸の回転を阻止するようにした構成とした。
【００１７】
また、第２の解決手段として、前記操作軸を、前記筐体内に軸線方向へスライド移動可能に保持すると共に、前記筐体の収納部に前記操作軸のスライド移動に伴って動作する検出スイッチと復帰ばねとを備え、前記操作軸の押圧操作に伴って前記検出スイッチが動作し、前記操作軸に前記第１の押圧力が加わった時には、前記突片部が前記軸孔の開口部に当接してストッパーとして機能することで、前記復帰ばねの付勢力により前記操作軸の復帰を可能とし、前記操作軸に過大な前記第２の押圧力が加わった際には、前記突片部が前記軸孔の開口部と衝突して破壊され、この破壊部が前記軸孔に食い込むことにより前記操作軸の復帰を阻止するようにした構成とした。
【００１８】
また、第３の解決手段として、前記操作軸は、前記軸孔に挿通される軸径よりも、前記突片部の外方に位置する軸径の方が小径となるように前記突片部を挟んで異なる軸径で形成した構成とした。
また、第４の解決手段として、前記操作軸、及び前記軸受けが、何れも金属材からなる構成とした。
また、第５の解決手段として、前記突片部を、円板形をした鍔状に形成した構成とした。
【発明の効果】
【００１９】
以上説明したように、本発明の回転操作型電気部品は、収納部を有する筐体と、軸孔を有し筐体の一端側に係合された軸受けと、軸孔から外方に突出すると共に、筐体内に回転可能に保持された操作軸と、可動接点を有し操作軸の回転操作に伴って回動される回転板と、収納部に配設され可動接点と摺接する固定接点とを備え、操作軸には、軸孔の開口部に対向して軸線方向と直交する方向に延出する突片部を一体に形成し、突片部が操作軸の軸線方向に第１の押圧力が加わった時のストッパーとして機能し、操作軸の軸線方向に第１の押圧力よりも大きい過大な第２の押圧力が加わった際には、突片部が軸孔の開口部と衝突して破壊され、この破壊部が軸孔に食い込むことにより操作軸の回転を阻止するようにしたことから、操作軸に過大な押圧力が加えられた時には、操作軸の突片部が破壊して軸孔に食い込んで、操作軸の回転を阻止するので、操作軸に取付けるつまみなどの操作体を複雑な構造とする必要が無く、小型化が可能で、且つ低コスト化が可能な内突規制（過大な押圧力が加わった時に、操作つまみが所定量以上突出しないという規定）に対応した回転操作型電気部品を提供できる。
【００２０】
また、操作軸を、筐体内に軸線方向へスライド移動可能に保持すると共に、筐体の収納部に操作軸のスライド移動に伴って動作する検出スイッチと復帰ばねとを備え、操作軸の押圧操作に伴って検出スイッチが動作し、操作軸に第１の押圧力が加わった時には、突片部が軸孔の開口部に当接してストッパーとして機能することで、復帰ばねの付勢力により操作軸の復帰を可能とし、操作軸に過大な第２の押圧力が加わった際には、突片部が軸孔の開口部と衝突して破壊され、破壊部が軸孔に食い込むことにより操作軸の復帰を阻止するようにしたことから、通常動作では、突片部をストッパーとして機能させているので、検出スイッチに必要以上の押圧力が加えられることは無く、検出スイッチの破損を防止できると共に、過大な押圧力が加えられた時には、操作軸の突片部が破壊して軸孔に食い込んで、操作軸の復帰を阻止するので、簡単な構造で内突規制に対応した回転操作型電気部品を提供できる。
【００２１】
また、操作軸は、軸孔に挿通される軸径よりも、突片部の外方に位置する軸径の方が小径となるように突片部を挟んで異なる軸径で形成したことから、操作軸に過大な押圧力が加えられた時には、突片部が小径の軸径となる外方へ向かって押し倒されるので、突片部が折れ易くなり、折れた部分を確実に軸孔内へ食い込ませることができる。
また、操作軸、及び軸受けが、何れも金属材からなることから、破壊にいたる押圧力のバラツキが生じにくく、長期間にわたって突片部の機能が得られる。
また、突片部を、円板形をした鍔状に形成したことから、構造が簡易となり加工性が向上する。
【発明を実施するための最良の形態】
【００２２】
以下、本発明の回転操作型電気部品の実施形態を図１乃至図６に示す。図１は本発明の回転操作型電気部品の正面図、図２は回転操作型回転部品の側面図、図３は回転操作型電気部品の断面図、図４は回転操作型電気部品を電子機器のパネルに配置した状態を示す説明図、図５及び図６は回転操作型電気部品を電子機器のパネルに配置した状態での動作を示す説明図である。
【００２３】
図において、筐体１は、合成樹脂などの絶縁材で一端側が開口された箱状に形成されており、内部に収納部１ａを有している。この収納部１ａには、内底面に表出する導電性の金属板からなるプッシュ検出スイッチ用の固定接点部である中央固定接点２及び周辺固定接点３と、内底面から立ち上がる同じく導電性の金属板からなる回転検出スイッチ用の固定接点部であるブラシ状の摺動子（図示せず）がそれぞれ配設されている。
【００２４】
また、前記筐体１の対向する側面部からは、前記プッシュ検出スイッチ用の接点部、及び回転検出スイッチ用の接点部から導出された複数の接続端子４が、突出した後、垂直に底面側へ折り曲げられて形成されている。この接続端子４が電子機器などの図示しない回路基板の導電パターンなどに半田付けされて取付けられるものとなっている。
【００２５】
また、前記収納部１ａの、周辺固定接点３上には、薄板の金属板からなる板ばね状の接触片５が中央固定接点２と対向した状態で載置されており、また、この接触片５の上方には、接触片５を押圧して中央固定接点２及び周辺固定接点３間を導通させる押圧部６ａを有し、可撓性を有するゴム材などからなる復帰ばね６が配設されている。この復帰ばね６は、反転可能なドーム部６ｂを有しており、後述する操作軸１０の押圧操作により反転した後、自身の反転復帰力によって操作軸１０を初期位置へ復帰させるものとなっている。
【００２６】
また、前記収納部１ａには、合成樹脂などの絶縁材からなる回転板７が回動可能に収納されている。この回転板７は、円板状のコード板部７ａと、このコード板部７ａから中空の円筒状に突出する筒部７ｂとを有している。また、前記コード板部７ａの一端側には、導電性の金属板からなる櫛歯状などをした接点部が環状に表出されて形成されており、この接点部がブラシ状の摺動子（図示せず）と摺接する可動接点７ｃとなっている。
【００２７】
また、前記コード板部７ａの他端側には、図示しない凹凸状のカム部が形成されている。このカム部が、後述する軸受け８に固着された板ばね９と摺接することにより、回転板７が回動される際のクリック感が得られるものとなっている。
【００２８】
軸受け８は、亜鉛などの金属材でダイキャスト形成されている。この軸受け８は、凹部８ａを有する方形状からなる基台部８ｂと、この基台部８ｂから突出して形成された突出部８ｃとを有している。また、基台部８ｂの凹部８ａには、弾性アーム部を有する金属板からなる板ばね９が固着されており、この板ばね９の弾性アーム部先端が前記回転板７のコード板部７ａの他面側のカム部に摺接されるものとなっている。
【００２９】
また、前記突出部８ｃには、やや太径の中空孔８ｄと、この中空孔８ｄの先端側に、やや細径の軸孔８ｅが形成されている。また、前記中空孔８ｄには、前記回転板７の筒部７ｂが回動可能に挿通されており、軸孔８ｅには後述する操作軸１０が同じく回動可能に挿通されている。
【００３０】
操作軸１０は、アルミニュームなどの金属材からなり、棒状に、切削あるいはダイキャストなどの方法で形成されている。この操作軸１０は、前記軸受け８の軸孔８ｅに挿通される基軸部１０ａと、この基軸部１０ａから外方へ突出して形成された外軸部１０ｂとを有している。また、前記基軸部１０ａと外軸部１０ｂとの間には、前記軸孔８ｅの開口部に対向して、操作軸１０の軸線方向と直交する方向に延出する突片部１０ｃが一体的に形成されている。また、この突片部１０ｃは、操作軸１０の回りに連続する円板形をした鍔状に形成されている。
【００３１】
また、前記操作軸１０は、前記軸孔８ｅに挿通される基軸部１０ａの軸径よりも、前記突片部１０ｃの外方に位置する外軸部１０ｂの軸径の方が小径となるように、前記突片部１０ｃを挟んでそれぞれが異なる軸径となるように形成されている。
【００３２】
駆動体１１は、合成樹脂などの絶縁材からなり、略円柱状に形成されている。この駆動体１１は、前記操作軸１０の基軸部１０ａの先端側に係合されており、操作軸１０と共に回動及びスライド移動されるものとなっている。また、駆動体１１は、前記回転板７の筒部７ｂの中空部に挿通されており、操作軸１０がプッシュ操作される際には、この筒部７ｂの中空部内にスライド移動可能であると共に、操作軸１０が回転操作される際には、図示しない嵌合部が回転板７とスプライン嵌合することにより、回転板７を伴って回動されるものとなっている。
【００３３】
また、前記駆動体１１の先端側（操作軸１０と係合された反対側）が、前記筐体１の収納部１ａの接触片５の上方に配設された、復帰ばね６のドーム部６ｂの頂部と当接されて、この復帰ばね６の有する弾性力によって操作軸１０と共に、軸受け８の軸孔８ｅの外方へ付勢されている。そして、操作軸１０がプッシュ操作された際には、駆動体１１を介して復帰ばね６が押圧されて、ドーム部６ｂが反転して接触片５を押圧するものとなっている。
【００３４】
合成樹脂などの絶縁材からなるスペーサ１２、及び金属板などからなる取付け板１３は、前記筐体１、及び前記軸受け８の両側に配設されており、取付け板１３の爪片（図示せず）をスペーサ１２の係止部（図示せず）に係止することにより、筐体１と軸受け８を重合して挟持するものとなっている。
【００３５】
次に、図４乃至図６を用いて、上記構成の回転操作型電気部品の動作について説明する。図４乃至図６は回転操作型電気部品を電子機器のパネルに配置した状態を示しており、操作軸１０の外軸部１０ｂには、操作つまみ１４が装着されて、この操作つまみ１４がパネル１５から突出して配置されたものとなっている。
【００３６】
まず、図４に示すように、操作つまみ１４が操作されない初期の状態においては、操作軸１０は復帰ばね６の弾性力で外方へ付勢されており、プッシュ検出スイッチ用の固定接点部である中央固定接点２と接触片５とは接触されず離間している。また、回転検出スイッチ用の固定接点部（図示せず）と可動接点７ｃも摺動されず、出力に変化のない状態となっている。
【００３７】
この状態から、操作つまみ１４が回転操作されると、駆動体１１を介して回転板７が回動され、回転板７に形成された可動接点７ｃと、ブラシ状の摺動子からなる固定接点部（図示せず）とが摺接して、回転検出スイッチの検出信号が出力される。この時、回転板７のコード板部７ａのカム部（図示せず）と、軸受け８の基台部８ｂに固着された板ばね９とが、節度を持って摺接することにより回転操作時のクリック感が得られるものとなっている。
【００３８】
次に、操作つまみ１４が通常の第３の押圧力（復帰ばね６の反転力よりも大きな押圧力で、約４ニュートン以上の押し荷重）でプッシュ操作されると、駆動体１１を介して復帰ばね６が押圧されて、復帰ばね６のドーム部６ｂが反転して押圧部６ａが接触片５を押圧するものとなり、接触片５が中央固定接点２と接触する。そして、中央固定接点２と周辺固定接点３が接触片５を介して導通状態となり、プッシュ検出スイッチの検出信号が出力される。
【００３９】
この時、操作つまみ１４へのプッシュ操作が、プッシュ検出スイッチが動作する第３の押圧力よりも大きな第１の押圧力（約３００ニュートンの押し荷重）であった場合には、操作軸１０の基軸部１０ａと外軸部１０ｂ間に形成された突片部１０ｃが、前記軸受け８の軸孔８ｅの開口部に当接してストッパーとして機能するものとなっている。
そして、操作つまみ１４への第１の押圧力以下の押圧力が解除されると、復帰ばね６の付勢力によって操作軸１０は初期の状態へ復帰するものとなり、プッシュ検出スイッチがオフ状態となる。
【００４０】
また、図５に示すように、この時、操作つまみ１４に第１の押圧力よりも大きい過大なプッシュ操作となる第２の押圧力（約４００ニュートンの押し荷重）が加わった場合には、前記突片部１０ｃが、前記軸受け８の軸孔８ｅの開口部と衝突して、この突片部１０ｃが小径からなる外軸部１０ｂの方向に折れて破壊され、この破壊部１０ｄが軸受け８の軸孔８ｅに食い込むことにより操作軸１０がその位置にロックされるものとなる。
【００４１】
この場合、操作軸１０に形成された突片部１０ｃの破壊部１０ｄは、金属材の破断面であり、その表面がバリなどで荒れた状態となっているため、この破断面が軸受け８の軸孔８ｅに食い込むことで、操作軸１０が回転動作及びプッシュ動作ができない状態（製品破壊状態）となる。
【００４２】
また、この場合、操作軸１０は、軸受け８ｅの軸孔８ｅに挿通される基軸部１０ａの軸径よりも、突片部１０ｃの外方に位置する外軸部１０ｂの軸径の方が小径となるように、突片部１０ｃを挟んで、それぞれ異なる軸径となるように形成されており、操作軸１０に過大な押圧力が加えられた時には、突片部１０ｃが小径の軸径となる外方へ向かって押し倒されるので、突片部１０ｃが折れ易くなり、折れた部分を確実に軸孔８ｅ内へ食い込ませることができるものとなる。
【００４３】
また、操作軸１０、及び軸受け８は、何れもアルミニューム、及び亜鉛などの金属材から形成されており、このため、互いが衝突してから、破壊にいたるまでの押圧力のバラツキが生じにくく、長期間にわたって突片部１０ｃの機能が得られるものとなっている。また、突片部１０ｃは、円板形をした鍔状に形成されているので、構造が簡易で加工性が向上されている。
【００４４】
このように、操作軸１０に破壊可能な突片部１０ｃを形成し、操作つまみ１４に、約４００ニュートンの過大な押し荷重が加わった際には、この突片部１０ｃが破壊し、操作軸１０が回転動作及びプッシュ動作ができない状態（製品破壊状態）となるように構成したことにより、ヨーロッパなどでの車載用電気機器の安全規格となる内突規制に対応することが可能になっている。
【００４５】
図６に示すのは、操作つまみ１４に過大なプッシュ操作となる第２の押圧力（約４００ニュートンの押し荷重）が加わった際、前記突片部１０ｃが、前記軸受け８の軸孔８ｅの開口部と衝突して、突片部１０ｃが破壊されて基軸部１０ａから外れた状態を示している。
この場合にも、同じく、突片部１０ｃの破壊部１０ｄは、金属材の破断面であり、その表面がバリなどで荒れた状態となっているため、この破断面が軸受け８の軸孔８ｅに食い込むこととなり、操作軸１０の回転動作及びプッシュ動作を阻止する（製品破壊状態）ものとなっている。
【００４６】
尚、図示はしないが、円板状からなる鍔状の突片部１０ｃの基部に、折れ易くなるように薄肉となる環状の溝を形成するようにすれば、さらに破壊され易くなり、確実に製品破壊状態を得ることができる。また、鍔状の突片部１０ｃに代えて、環状に複数の突片部を形成するようにしても良く、この場合にも同様の効果が得られるものとなる。
【００４７】
上記した本発明の実施例によれば、操作つまみ１４が装着される操作軸１０に、軸受け８の軸孔８ｅの開口部に対向して、軸線方向と直交する方向に延出する突片部１０ｃを一体に形成し、この突片部１０ｃが、操作軸１０の軸線方向に、第１の押圧力（約３００ニュートンの押し荷重）が加わった時のストッパーとして機能し、操作軸１０の軸線方向に、第１の押圧力よりも過大な第２の押圧力（約４００ニュートンの押し荷重）が加わった際には、前記突片部１０ｃが、軸孔８ｅの開口部と衝突して破壊され、この破壊部１０ｄが軸孔８ｅに食い込むことにより、操作軸１０の回転を阻止するようにしたことから、操作軸１０に過大な押圧力が加えられた時には、操作軸１０の突片部１０ｃが破壊して、この破壊部１０ｄが軸孔８ｅに食い込んで、操作軸１０の回転を阻止するので、操作軸１０に取付けるつまみなどの操作体を複雑な構造とする必要が無く、小型化が可能で、且つ低コスト化が可能な、車載用電気機器の安全規格である内突規制に対応した回転操作型電気部品を提供できるものとなっている。
【００４８】
また、操作軸１０を、筐体１内に軸線方向へスライド移動可能に保持すると共に、筐体１の収納部１ａに操作軸１０のスライド移動に伴って動作する検出スイッチ（接触片５及び固定接点２、３）と復帰ばね９とを備えたものにおいては、通常動作では、突片部１０ｃをストッパーとして機能させているので、検出スイッチに必要以上の押圧力が加えられることは無く、検出スイッチの破損を防止できると共に、過大な押圧力が加えられた時には、操作軸１０の突片部１０ｃが破壊して軸孔８ｅに食い込んで、操作軸１０の復帰を阻止するので、簡単な構造で内突規制に対応した回転操作型電気部品を提供できるものとなる。
【００４９】
尚、上記実施例では、復帰ばねとして弾性を有するゴム材からなるもので説明したが、復帰ばねは金属材からなるコイルばねであってもよい。また、検出スイッチの構成として、一対の固定接点と、両固定接点を導通させるカーボンなどの導電材が形成されたゴム材からなる反転可能なドーム状可動接点とを用いることもでき、この場合には、ドーム状可動接点に復帰ばねの機能を持たせることもできる。
【００５０】
また、上記実施例では、回転操作型電気部品として、コード板部７ａを有するエンコーダを例示して説明したが、回転板に備えられる可動接点、あるいは可動接点に摺接する固定接点のいずれかを抵抗体とした可変抵抗器に本発明を適用してもよい。
【図面の簡単な説明】
【００５１】
【図１】本発明の回転操作型電気部品を示す正面図である。
【図２】本発明の回転操作型回転部品を示す側面図である。
【図３】本発明の回転操作型電気部品を示す断面図である。
【図４】本発明の回転操作型電気部品を電子機器のパネルに配置した状態を示す説明図である。
【図５】本発明の回転操作型電気部品を電子機器のパネルに配置した状態での動作を示す説明図である。
【図６】本発明の回転操作型電気部品を電子機器のパネルに配置した状態での動作を示す説明図である。
【図７】従来の回転操作型電気部品を示す一部を断面とした側面図である。
【図８】従来の回転操作型電気部品の動作を説明する説明図である。
【符号の説明】
【００５２】
１：筐体
１ａ：収納部
２：中央固定接点
３：周辺固定接点
４：接続端子
５：接触片
６：復帰ばね
６ａ：押圧部
６ｂ：ドーム部
７：回転板
７ａ：コード板部
７ｂ：筒部
７ｃ：可動接点
８：軸受け
８ａ：凹部
８ｂ：基台部
８ｃ：突出部
８ｄ：中空部
８ｅ：軸孔
９：板ばね
１０：操作軸
１０ａ：基軸部
１０ｂ：外軸部
１０ｃ：突片部
１０ｄ：破壊部
１１：駆動体
１２：スペーサ
１３：取付け板
１４：操作つまみ
１５：パネル
【図１】
2005136275.tif 000003
【図２】
2005136275.tif 000004
【図３】
2005136275.tif 000005
【図４】
2005136275.tif 000006
【図５】
2005136275.tif 000007
【図６】
2005136275.tif 000008
【図７】
2005136275.tif 000009
【図８】
2005136275.tif 000010